【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
ワイヤレスデバイスによるワイヤレス通信のための方法であって、
初期送信電力レベルのセットと、初期送信電力レベルの前記セットに対応する基準信号受信電力（ＲＳＲＰ）しきい値のセットとを示すシグナリングを受信することと、
ＲＳＲＰ測定値をＲＳＲＰしきい値の前記セットと比較することと、
前記比較することに少なくとも部分的に基づいて、初期送信電力レベルの前記セットから初期送信電力レベルを選択することと、
前記初期送信電力レベルを利用してランダムアクセスチャネル（ＲＡＣＨ）メッセージを送信することと
を備える、方法。
【請求項２】
ＲＳＲＰしきい値の前記セットが初期送信電力レベルの前記セットに一意にマッピングされる、請求項１に記載の方法。
【請求項３】
ＲＳＲＰしきい値の前記セットが、初期送信電力レベルの前記セット中の要素の数−１に等しい数の要素を備える、請求項１に記載の方法。
【請求項４】
ＲＳＲＰしきい値の前記セットが、前記ＲＳＲＰ測定値または初期送信電力レベルの前記セット中の初期送信電力レベルに関連する確率分布関数に少なくとも部分的に基づく、請求項２に記載の方法。
【請求項５】
初期送信電力レベルの前記セットが、利用可能な送信電力レベルのサブセットを備え、ここにおいて、利用可能な送信電力レベルの前記サブセット中の要素の数が、利用可能な送信電力レベルの総数よりも小さいかまたはそれに等しい、請求項１に記載の方法。
【請求項６】
前記初期送信電力レベルを利用する前記ＲＡＣＨメッセージの前記送信が失敗したと決定することと、
初期送信電力レベルの前記セットのサブセットから後続の送信電力レベルを選択することと、ここにおいて、前記サブセットが、前記選択された初期送信電力レベルよりも大きい送信電力レベルを備える、
前記後続の送信電力レベルを利用して後続のＲＡＣＨメッセージを送信することと
をさらに備える、請求項１に記載の方法。
【請求項７】
アイドルモードから接続モードに遷移することと、
初期送信電力レベルの後続のセットを示すシグナリングを受信することと、ここにおいて、初期送信電力レベルの前記後続のセットが、初期送信電力レベルの前記セットと同じであるかまたはそれとは異なり、前の成功したＲＡＣＨメッセージ送信に少なくとも部分的に基づく、
をさらに備える、請求項１に記載の方法。
【請求項８】
初期送信電力レベルの前記後続のセットに少なくとも部分的に基づいてＲＳＲＰしきい値のセットを示すシグナリングを受信することをさらに備え、ここにおいて、ＲＳＲＰしきい値の前記セットが、前記成功したＲＡＣＨメッセージ送信より前に確立されたＲＳＲＰしきい値の初期セットと同じであるかまたはそれとは異なる、
請求項７に記載の方法。
【請求項９】
基地局によるワイヤレス通信のための方法であって、
初期送信電力レベルのセットと、初期送信電力レベルの前記セットに対応する基準信号受信電力（ＲＳＲＰ）しきい値のセットとを決定することと、
初期送信電力レベルの前記セットと、ＲＳＲＰしきい値の前記セットとを示すシグナリングを送信することと、
初期送信電力レベルの前記セットから選択された初期送信電力レベルに従って送信されたランダムアクセスチャネル（ＲＡＣＨ）メッセージを受信することと、前記選択された初期送信電力レベルは、ＲＳＲＰ測定値とＲＳＲＰしきい値の前記セットとの比較に少なくとも部分的に基づく、
を備える、方法。
【請求項１０】
初期送信電力レベルの前記セットを決定することが、
利用可能な送信電力レベルのセットからサブセットを選択すること
を備える、請求項９に記載の方法。
【請求項１１】
ＲＳＲＰしきい値の前記セットが、ＲＳＲＰ測定値または初期送信電力レベルの前記セットに関連する確率分布関数に少なくとも部分的に基づく、請求項９に記載の方法。
【請求項１２】
ＲＳＲＰしきい値の前記セットが初期送信電力レベルの前記セットに一意にマッピングされる、請求項９に記載の方法。
【請求項１３】
ユーザ機器との無線リソース制御接続を確立することと、
初期送信電力レベルの前記セットと同じであるかまたはそれとは異なり、前の成功したＲＡＣＨメッセージ送信に少なくとも部分的に基づく、初期送信電力レベルの後続のセットを決定することと、
初期送信電力レベルの前記後続のセットを示すシグナリングを送信することと
をさらに備える、請求項９に記載の方法。
【請求項１４】
ワイヤレス通信のための装置であって、
初期送信電力レベルのセットと、初期送信電力レベルの前記セットに対応する基準信号受信電力（ＲＳＲＰ）しきい値のセットとを示すシグナリングを受信するための手段と、
ＲＳＲＰ測定値をＲＳＲＰしきい値の前記セットと比較するための手段と、
前記比較することに少なくとも部分的に基づいて、初期送信電力レベルの前記セットから初期送信電力レベルを選択するための手段と、
前記初期送信電力レベルを利用してランダムアクセスチャネル（ＲＡＣＨ）メッセージを送信するための手段と
を備える、装置。
【請求項１５】
ワイヤレス通信のための装置であって、
初期送信電力レベルのセットと、前記初期送信電力レベルに対応する基準信号受信電力（ＲＳＲＰ）しきい値のセットとを決定するための手段と、
初期送信電力レベルの前記セットと、ＲＳＲＰしきい値のセットとを示すシグナリングを送信するための手段と、
初期送信電力レベルの前記セットから選択された初期送信電力レベルに従って送信されたランダムアクセスチャネル（ＲＡＣＨ）メッセージを受信するための手段と、前記選択された初期送信電力レベルは、ＲＳＲＰ測定値とＲＳＲＰしきい値の前記セットとの比較に少なくとも部分的に基づく、
を備える、装置。
【手続補正２】
【補正対象書類名】明細書
【補正対象項目名】０１１８
【補正方法】変更
【補正の内容】
【０１１８】
[0131]本開示についての以上の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に本願発明の当初の特許請求の範囲に記載された発明を付記する。
［Ｃ１］
ワイヤレス通信のための方法であって、
初期送信電力レベルのセットを示すシグナリングを受信することと、
基準信号受信電力（ＲＳＲＰ）測定値に少なくとも部分的に基づいて、前記セットから初期送信電力レベルを選択することと、
前記初期送信電力レベルを利用してランダムアクセスチャネル（ＲＡＣＨ）メッセージを送信することと
を備える、方法。
［Ｃ２］
ＲＳＲＰしきい値のセットを示すシグナリングを受信することと、
前記ＲＳＲＰ測定値を前記ＲＳＲＰしきい値と比較することと、ここにおいて、前記初期送信電力が前記比較に少なくとも部分的に基づいて選択される、
をさらに備える、Ｃ１に記載の方法。
［Ｃ３］
ＲＳＲＰしきい値の前記セットが初期送信電力レベルの前記セットに一意にマッピングされる、Ｃ２に記載の方法。
［Ｃ４］
ＲＳＲＰしきい値の前記セットが、初期送信電力レベルの前記セット中の要素の数−１に等しい数の要素を備える、Ｃ２に記載の方法。
［Ｃ５］
前記ＲＳＲＰしきい値が、前記ＲＳＲＰ測定値または前記セット中の初期送信電力レベルに関連する確率分布関数に少なくとも部分的に基づく、Ｃ２に記載の方法。
［Ｃ６］
初期送信電力レベルの前記セットが、利用可能な送信電力レベルのサブセットを備え、ここにおいて、利用可能な送信電力レベルの前記サブセット中の要素の数が、利用可能な送信電力レベルの総数よりも小さいかまたはそれに等しい、Ｃ１に記載の方法。
［Ｃ７］
前記選択された初期送信電力レベルが前記ＲＳＲＰ測定値に反比例する、Ｃ１に記載の方法。
［Ｃ８］
前記初期送信電力レベルを利用する前記ＲＡＣＨメッセージの前記送信が失敗したと決定することと、
初期送信電力レベルの前記セットのサブセットから後続の送信電力レベルを選択することと、ここにおいて、前記サブセットが、前記選択された初期送信電力レベルよりも大きい送信電力レベルを備える、
前記後続の送信電力レベルを利用して後続のＲＡＣＨメッセージを送信することと
をさらに備える、Ｃ１に記載の方法。
［Ｃ９］
アイドルモードから接続モードに遷移することと、
初期送信電力レベルの後続のセットを示すシグナリングを受信することと、ここにおいて、初期送信電力レベルの前記後続のセットが、初期送信電力レベルの前記セットと同じであるかまたはそれとは異なり、前の成功したＲＡＣＨメッセージ送信に少なくとも部分的に基づく、
をさらに備える、Ｃ１に記載の方法。
［Ｃ１０］
初期送信電力レベルの前記後続のセットに少なくとも部分的に基づいてＲＳＲＰしきい値のセットを示すシグナリングを受信することをさらに備え、ここにおいて、ＲＳＲＰしきい値の前記セットが、前記成功したＲＡＣＨメッセージ送信より前に確立されたＲＳＲＰしきい値の初期セットと同じであるかまたはそれとは異なる、
Ｃ９に記載の方法。
［Ｃ１１］
ワイヤレス通信のための方法であって、
初期送信電力レベルのセットを決定することと、
初期送信電力レベルの前記セットを示すシグナリングを送信することと、
初期送信電力レベルの前記セットから選択された初期送信電力レベルに従って送信されたランダムアクセスチャネル（ＲＡＣＨ）メッセージを受信することと
を備える、方法。
［Ｃ１２］
初期送信電力レベルの前記セットを決定することが、
利用可能な送信電力レベルのセットからサブセットを選択すること
を備える、Ｃ１１に記載の方法。
［Ｃ１３］
基準信号受信電力（ＲＳＲＰ）しきい値のセットを決定することと、
ＲＳＲＰしきい値の前記セットを示すシグナリングを送信することと、ここにおいて、ＲＳＲＰ値の前記セットが初期送信電力レベルの前記セットに対応する、
をさらに備える、Ｃ１１に記載の方法。
［Ｃ１４］
ＲＳＲＰしきい値の前記セットが、ＲＳＲＰ測定値または初期送信電力レベルの前記セットに関連する確率分布関数に少なくとも部分的に基づく、Ｃ１３に記載の方法。
［Ｃ１５］
ＲＳＲＰしきい値の前記セットが初期送信電力レベルの前記セットに一意にマッピングされる、Ｃ１３に記載の方法。
［Ｃ１６］
ＲＳＲＰしきい値の前記セットが、初期送信電力レベルの前記セット中の要素の数−１に等しい数の要素を備える、Ｃ１３に記載の方法。
［Ｃ１７］
初期送信電力レベルの前記セットが、利用可能な送信電力レベルのサブセットを備え、ここにおいて、利用可能な送信電力レベルの前記サブセット中の要素の数利用可能な送信電力レベルの総数よりも小さいかまたはそれに等しい、Ｃ１３に記載の方法。
［Ｃ１８］
ユーザ機器との無線リソース制御（ＲＲＣ）接続を確立することと、
初期送信電力レベルの前記セットと同じであるかまたはそれとは異なり、前の成功したＲＡＣＨメッセージ送信に少なくとも部分的に基づく、初期送信電力レベルの後続のセットを決定することと、
初期送信電力レベルの前記後続のセットを示すシグナリングを送信することと
をさらに備える、Ｃ１１に記載の方法。
［Ｃ１９］
基準信号受信電力（ＲＳＲＰ）しきい値のセットを決定することと、ここにおいて、ＲＳＲＰしきい値の前記セットが、前記成功したＲＡＣＨメッセージ送信より前に確立されたＲＳＲＰしきい値の初期セットと同じであるかまたはそれとは異なる、
ＲＳＲＰしきい値の前記セットを示すシグナリングを送信することと
をさらに備える、Ｃ１１に記載の方法。
［Ｃ２０］
通信のための装置であって、
プロセッサと、
前記プロセッサと電子通信しているメモリと、
前記メモリに記憶された命令と
を備え、ここにおいて、前記命令が、
初期送信電力レベルのセットを示すシグナリングを受信することと、
基準信号受信電力（ＲＳＲＰ）測定値に少なくとも部分的に基づいて、前記セットから初期送信電力レベルを選択することと、
前記初期送信電力レベルを利用してランダムアクセスチャネル（ＲＡＣＨ）メッセージを送信することと
を行うために前記プロセッサによって実行可能である、装置。
［Ｃ２１］
前記命令は、
ＲＳＲＰしきい値のセットを示すシグナリングを受信することと、
前記ＲＳＲＰ測定値を前記ＲＳＲＰしきい値と比較することと、ここにおいて、前記初期送信電力が前記比較に少なくとも部分的に基づいて選択される、
を行うために前記プロセッサによって実行可能である、Ｃ２０に記載の装置。
［Ｃ２２］
初期送信電力レベルの前記セットが、利用可能な送信電力レベルのサブセットを備え、ここにおいて、利用可能な送信電力レベルの前記サブセット中の要素の数が、利用可能な送信電力レベルの総数よりも小さいかまたはそれに等しい、Ｃ２０に記載の装置。
［Ｃ２３］
前記命令は、
前記初期送信電力レベルを利用する前記ＲＡＣＨメッセージの前記送信が失敗したと決定することと、
初期送信電力レベルの前記セットのサブセットから後続の送信電力レベルを選択することと、ここにおいて、前記サブセットが、前記選択された初期送信電力レベルよりも大きい送信電力レベルを備える、
前記後続の送信電力レベルを利用して後続のＲＡＣＨメッセージを送信することと
を行うために前記プロセッサによって実行可能である、Ｃ２０に記載の装置。
［Ｃ２４］
前記命令は、
アイドルモードから接続モードに遷移することと、
初期送信電力レベルの後続のセットを示すシグナリングを受信することと、ここにおいて、初期送信電力レベルの前記後続のセットが、初期送信電力レベルの前記セットと同じであるかまたはそれとは異なり、前の成功したＲＡＣＨメッセージ送信に少なくとも部分的に基づく、
を行うために前記プロセッサによって実行可能である、Ｃ２０に記載の装置。
［Ｃ２５］
前記命令は、
初期送信電力レベルの前記後続のセットに少なくとも部分的に基づいてＲＳＲＰしきい値のセットを示すシグナリングを受信するために前記プロセッサによって実行可能であり、ここにおいて、ＲＳＲＰしきい値の前記セットが、前記成功したＲＡＣＨメッセージ送信より前に確立されたＲＳＲＰしきい値の初期セットと同じであるかまたはそれとは異なる、
Ｃ２４に記載の装置。
［Ｃ２６］
通信のための装置であって、
プロセッサと、
前記プロセッサと電子通信しているメモリと、
前記メモリに記憶された命令と
を備え、ここにおいて、前記命令が、
初期送信電力レベルのセットを決定することと、
初期送信電力レベルの前記セットを示すシグナリングを送信することと、
初期送信電力レベルの前記セットから選択された初期送信電力レベルに従って送信されたランダムアクセスチャネル（ＲＡＣＨ）メッセージを受信することと
を行うために前記プロセッサによって実行可能である、装置。
［Ｃ２７］
前記命令が、
利用可能な送信電力レベルのセットからサブセットを選択すること
を行うために前記プロセッサによって実行可能である、Ｃ２６に記載の装置。
［Ｃ２８］
前記命令は、
基準信号受信電力（ＲＳＲＰ）しきい値のセットを決定することと、
ＲＳＲＰしきい値の前記セットを示すシグナリングを送信することと、ここにおいて、ＲＳＲＰ値の前記セットが初期送信電力レベルの前記セットに対応する、
を行うために前記プロセッサによって実行可能である、Ｃ２６に記載の装置。
［Ｃ２９］
前記命令が、
ユーザ機器との無線リソース制御（ＲＲＣ）接続を確立することと、
初期送信電力レベルの前記セットと同じであるかまたはそれとは異なり、前の成功したＲＡＣＨメッセージ送信に少なくとも部分的に基づく、初期送信電力レベルの後続のセットを決定することと、
初期送信電力レベルの前記後続のセットを示すシグナリングを送信することと
を行うために前記プロセッサによって実行可能である、Ｃ２６に記載の装置。
［Ｃ３０］
前記命令は、
基準信号受信電力（ＲＳＲＰ）しきい値のセットを決定することと、ここにおいて、ＲＳＲＰしきい値の前記セットが、前記成功したＲＡＣＨメッセージ送信より前に確立されたＲＳＲＰしきい値の初期セットと同じであるかまたはそれとは異なる、
ＲＳＲＰしきい値の前記セットを示すシグナリングを送信することと
を行うために前記プロセッサによって実行可能である、Ｃ２６に記載の装置。
［Ｃ３１］
ワイヤレス通信のための装置であって、
初期送信電力レベルのセットを示すシグナリングを受信するための手段と、
基準信号受信電力（ＲＳＲＰ）測定値に少なくとも部分的に基づいて、前記セットから初期送信電力レベルを選択するための手段と、
前記初期送信電力レベルを利用してランダムアクセスチャネル（ＲＡＣＨ）メッセージを送信するための手段と
を備える、装置。
［Ｃ３２］
ＲＳＲＰしきい値のセットを示すシグナリングを受信するための手段と、
前記ＲＳＲＰ測定値を前記ＲＳＲＰしきい値と比較するための手段と、ここにおいて、前記初期送信電力が前記比較に少なくとも部分的に基づいて選択される、
をさらに備える、Ｃ３１に記載の装置。
［Ｃ３３］
ＲＳＲＰしきい値の前記セットが初期送信電力レベルの前記セットに一意にマッピングされる、Ｃ３２に記載の装置。
［Ｃ３４］
ＲＳＲＰしきい値の前記セットが、初期送信電力レベルの前記セット中の要素の数−１に等しい数の要素を備える、Ｃ３２に記載の装置。
［Ｃ３５］
前記ＲＳＲＰしきい値が、前記セット中の初期送信電力レベルまたは前記ＲＳＲＰ測定値に関連する確率分布関数に少なくとも部分的に基づく、Ｃ３２に記載の装置。
［Ｃ３６］
初期送信電力レベルの前記セットが、利用可能な送信電力レベルのサブセットを備え、ここにおいて、利用可能な送信電力レベルの前記サブセット中の要素の数が、利用可能な送信電力レベルの総数よりも小さいかまたはそれに等しい、Ｃ３１に記載の装置。
［Ｃ３７］
前記選択された初期送信電力レベルが前記ＲＳＲＰ測定値に反比例する、Ｃ３１に記載の装置。
［Ｃ３８］
前記初期送信電力レベルを利用する前記ＲＡＣＨメッセージの前記送信が失敗したと決定するための手段と、
初期送信電力レベルの前記セットのサブセットから後続の送信電力レベルを選択するための手段と、ここにおいて、前記サブセットが、前記選択された初期送信電力レベルよりも大きい送信電力レベルを備える、
前記後続の送信電力レベルを利用して後続のＲＡＣＨメッセージを送信するための手段と
をさらに備える、Ｃ３１に記載の装置。
［Ｃ３９］
アイドルモードから接続モードに遷移するための手段と、
初期送信電力レベルの後続のセットを示すシグナリングを受信するための手段と、ここにおいて、初期送信電力レベルの前記後続のセットが、初期送信電力レベルの前記セットと同じであるかまたはそれとは異なり、前の成功したＲＡＣＨメッセージ送信に少なくとも部分的に基づく、
をさらに備える、Ｃ３１に記載の装置。
［Ｃ４０］
初期送信電力レベルの前記後続のセットに少なくとも部分的に基づいてＲＳＲＰしきい値のセットを示すシグナリングを受信するための手段をさらに備え、ここにおいて、ＲＳＲＰしきい値の前記セットが、前記成功したＲＡＣＨメッセージ送信より前に確立されたＲＳＲＰしきい値の初期セットと同じであるかまたはそれとは異なる、
Ｃ３９に記載の装置。
［Ｃ４１］
ワイヤレス通信のための装置であって、
初期送信電力レベルのセットを決定するための手段と、
初期送信電力レベルの前記セットを示すシグナリングを送信するための手段と、
初期送信電力レベルの前記セットから選択された初期送信電力レベルに従って送信されたランダムアクセスチャネル（ＲＡＣＨ）メッセージを受信するための手段と
を備える、装置。
［Ｃ４２］
初期送信電力レベルの前記セットを決定するための前記手段が、
利用可能な送信電力レベルのセットからサブセットを選択するための手段
を備える、Ｃ４１に記載の装置。
［Ｃ４３］
基準信号受信電力（ＲＳＲＰ）しきい値のセットを決定するための手段と、
ＲＳＲＰしきい値の前記セットを示すシグナリングを送信するための手段と、ここにおいて、ＲＳＲＰ値の前記セットが初期送信電力レベルの前記セットに対応する、
をさらに備える、Ｃ４１に記載の装置。
［Ｃ４４］
ＲＳＲＰしきい値の前記セットが、ＲＳＲＰ測定値または初期送信電力レベルの前記セットに関連する確率分布関数に少なくとも部分的に基づく、Ｃ４３に記載の装置。
［Ｃ４５］
ＲＳＲＰしきい値の前記セットが初期送信電力レベルの前記セットに一意にマッピングされる、Ｃ４３に記載の装置。
［Ｃ４６］
ＲＳＲＰしきい値の前記セットが、初期送信電力レベルの前記セット中の要素の数−１に等しい数の要素を備える、Ｃ４３に記載の装置。
［Ｃ４７］
初期送信電力レベルの前記セットが、利用可能な送信電力レベルのサブセットを備え、ここにおいて、利用可能な送信電力レベルの前記サブセット中の要素の数利用可能な送信電力レベルの総数よりも小さいかまたはそれに等しい、Ｃ４３に記載の装置。
［Ｃ４８］
ユーザ機器との無線リソース制御（ＲＲＣ）接続を確立するための手段と、
初期送信電力レベルの前記セットと同じであるかまたはそれとは異なり、前の成功したＲＡＣＨメッセージ送信に少なくとも部分的に基づく、初期送信電力レベルの後続のセットを決定するための手段と、
初期送信電力レベルの前記後続のセットを示すシグナリングを送信するための手段とをさらに備える、Ｃ４１に記載の装置。
［Ｃ４９］
基準信号受信電力（ＲＳＲＰ）しきい値のセットを決定するための手段と、ここにおいて、ＲＳＲＰしきい値の前記セットが、前記成功したＲＡＣＨメッセージ送信より前に確立されたＲＳＲＰしきい値の初期セットと同じであるかまたはそれとは異なる、
ＲＳＲＰしきい値の前記セットを示すシグナリングを送信するための手段と
をさらに備える、Ｃ４１に記載の装置。